(57)【要約】【課題】局所的に空調を行う場合であっても気流の拡散を抑制して効率よく空調できる空気調和機の室内機を提供する。【解決手段】空気の吹出口３と、送風機４と、前記吹出口３から吹き出す気流を上下方向に変更する上下風向板６Ｌ，６Ｃ，６Ｒと、前記吹出口３から吹き出す気流を左右方向に変更し、前記吹出口３の左側部分および右側部分に設けられて前記左側部分と前記右側部分とが独立した動きが可能である左右風向板７Ｌ，７Ｒと、前記左右風向板７Ｌ，７Ｒ、前記上下風向板６Ｌ，６Ｃ，６Ｒおよび前記送風機４の運転を制御する制御装置３０と、前記室内に存在する人体Ｈ１の位置を検知するセンサ２０と、を備え、前記制御装置３０は、前記センサ２０によって検知された前記人体Ｈ１の位置の左側、および、当該人体Ｈ１の位置の右側の両方に前記左右風向板７Ｌ，７Ｒを向けることを特徴とする。【選択図】  図２
2017044434.tif 000002
【特許請求の範囲】
【請求項１】
通風路に長手方向を有して形成される空気の吹出口と、
室内の前記空気を吸い込むとともに前記吹出口から吹き出す送風機と、
前記吹出口から吹き出す気流を上下方向に変更する上下風向板と、
前記吹出口から吹き出す気流を左右方向に変更し、前記吹出口の少なくとも左側部分および右側部分に設けられて前記左側部分と前記右側部分とが独立した動きが可能である左右風向板と、
前記左右風向板、前記上下風向板および前記送風機の運転を制御する制御装置と、
前記室内に存在する人体の位置を検知するセンサと、
を備え、
前記制御装置は、前記センサによって検知された前記人体の位置の左側、および、当該人体の位置の右側の両方に前記左右風向板を向けること
を特徴とする空気調和機の室内機。
【請求項２】
前記左右風向板の前記左側部分および前記右側部分の間、かつ、前記吹出口の中央部に整流板を備えていること
を特徴とする、請求項１に記載の空気調和機の室内機。
【請求項３】
前記左右風向板の右側部分および左側部分は、それぞれ複数の風向板を有してなる風向板群として構成され、
前記左右風向板の右側部分の風向板群と左側部分の風向板群との間の間隔は、前記風向板群内における風向板同士の間隔よりも大きいこと
を特徴とする、請求項１に記載の空気調和機の室内機。
【請求項４】
前記送風機は前記吹出口の幅方向に並べられた小ブロックの集合体であり、
前記送風機は、前記吹出口の中央部において、前記小ブロック同士の接続部を避けるようにして配置されていること
を特徴とする、請求項１に記載の空気調和機の室内機。
【請求項５】
前記左右風向板は前記吹出口の左側部分、中央部分、および右側部分に設けられて前記左側部分、前記中央部分、および前記右側部分とは互いに独立した動きが可能であること
を特徴とする、請求項１ないし請求項４のいずれか一項に記載の空気調和機の室内機。
【請求項６】
前記上下風向板は前記吹出口の少なくとも左側部分、中央部分、および右側部分に設けられて前記左側部分、前記中央部分、および前記右側部分とが互いに独立した動きが可能であること
を特徴とする、請求項１ないし請求項５のいずれか一項に記載の空気調和機の室内機。
【発明の詳細な説明】
【技術分野】
【０００１】
本発明は、空気調和機の室内機に関する。
【背景技術】
【０００２】
近年、空気調和機の室内機は高機能化され、ユーザ側の求めに応じてきめ細やかな空調制御を行うことが望まれる傾向にある。
【０００３】
特に、冬季においては、例えばユーザの腰や足を重点的に空調することが望まれる。但し、ユーザは通常、「フローリング」や「カーペット」など滞在空間の環境に応じて、各々快適性に関する感度が異なっている。
【０００４】
ゆえに、空気調和機は各ユーザが快適に感じられるように、例えば必要に応じて局所的に空調を行うなどして効率よく空調することが求められる。つまり、より一層の風向・風量制御機能の向上が望まれている。
【０００５】
例えば、特許文献１の要約には、「風向を左右方向に制御するための左側左右風向板４および右側左右風向板５と、風向を上下方向に制御するための左上部上下風向板６および左下部上下風向板７並びに右上部上下風向板８および右下部上下風向板９と、制御装置１００とを有し、赤外線センサ１０の検出した人体位置の検出情報に基づいて、左右風向板４、５およびを上下風向板６〜９をそれぞれが受け持つ人体方向に向けると共に、左上部上下風向板６と左下部上下風向板７または右上部上下風向板８と右下部上下風向板９とを平行または非平行にして、並行流または拡散流若しくは縮流を形成する」空気調和機の室内機１０００が記載されている。
【先行技術文献】
【特許文献】
【０００６】
【特許文献１】特開２０１２−０３７１７２号公報
【発明の概要】
【発明が解決しようとする課題】
【０００７】
特許文献１に記載の空気調和機の室内機は、左右風向板および上下風向板はいずれも、空気吹出口の長手方向に対して左側および右側に２分割されたものであった。この場合、局所的に所望の風向・風量を得るという観点において、更なる改良の余地があった。
【０００８】
そこで本発明は前記の課題に鑑みて為されたものであり、その目的は、局所的に空調を行う場合であっても気流の拡散を抑制して効率よく空調できる空気調和機の室内機を提供することにある。
【課題を解決するための手段】
【０００９】
上記課題を解決するために、本発明の一実施形態は、通風路に長手方向を有して形成される空気の吹出口と、室内の前記空気を吸い込むとともに前記吹出口から吹き出す送風機と、前記吹出口から吹き出す気流を上下方向に変更する上下風向板と、前記吹出口から吹き出す気流を左右方向に変更し、前記吹出口の少なくとも左側部分および右側部分に設けられて前記左側部分と前記右側部分とが独立した動きが可能である左右風向板と、前記左右風向板、前記上下風向板および前記送風機の運転を制御する制御装置と、前記室内に存在する人体の位置を検知するセンサと、を備え、前記制御装置は、前記センサによって検知された前記人体の位置の左側、および、当該人体の位置の右側の両方に前記左右風向板を向けることを特徴とする。
【発明の効果】
【００１０】
本発明によれば、局所的に空調を行う場合であっても気流の拡散を抑制して効率よく空調できる空気調和機の室内機を提供できる。
【図面の簡単な説明】
【００１１】
【図１】図１（ａ）は本発明の実施形態にかかる空気調和機の室内機の斜視図であり、室外機を含めた全体を説明する図である。図１（ｂ）は図１（ａ）のＸ−Ｘ矢視断面図である。
【図２】図２（ａ）ないし図２（ｄ）は、本発明の比較例または実施形態にかかる空気調和機の室内機および室内を上方から見た図である。図２（ａ）は室内機から１方向の気流が正対する壁に向かって流れる様子を説明する比較例の図、図２（ｂ）は室内機から３方向の気流が正対する壁に向かって流れる様子を説明する実施形態の図である。また、図２（ｃ）は室内機から３方向の気流が正対する壁および右側の壁に向かって流れる様子を説明する実施形態の図、図２（ｄ）は室内機から３方向の気流が正対する壁および左右側の壁に向かって流れる様子を説明する実施形態の図である。
【図３】図３（ａ）は本発明の実施形態にかかる空気調和機の室内機の整流板を説明する図であり、図３（ｂ）は実施形態のその他の例である。
【図４】図４（ａ）は本発明の実施形態にかかる空気調和機の室内機の左右風向板の配置を説明する図であり、図４（ｂ）は実施形態のその他の例である。
【図５】図５（ａ）は本発明の実施形態にかかる空気調和機の室内機の貫流ファンの配置を説明する図であり、図５（ｂ）は実施形態のその他の例である。
【図６】図６（ａ）は本発明の実施形態にかかる空気調和機の室内機の上下風向板の向きを側面視で説明する図であり、図６（ｂ）はその比較例である。図６（ｃ）は本発明の実施形態にかかる空気調和機の室内機の左右風向板の向きを正面視で説明する図であり、図６（ｄ）はその比較例である。
【図７】本発明の実施形態にかかる空気調和機の室内機の制御構成を説明するブロック図である。
【図８】本発明の実施形態にかかる空気調和機の室内機の風向風量制御にかかるフローチャートである。
【図９】本発明の実施形態にかかる空気調和機の室内機の左右風向板の制御フローを説明する図である。
【図１０】本発明の実施形態にかかる空気調和機の室内機の上下風向板の制御フローを説明する図である。
【図１１】図１１（ａ）は本発明の実施形態にかかる空気調和機の室内機の上下風向板の向きを上面視で説明する図であり、床材が全面フローリングの場合の例である。図１１（ｂ）は床材が「カーペット」および「フローリング」両方を備えてなる場合の例である。
【図１２】図１２（ａ）は本発明の変形例にかかる空気調和機の室内機の左右風向板の配置を説明する図であり、図１２（ｂ）はその他の例である。
【発明を実施するための形態】
【００１２】
以下、本発明の一実施形態に係わる空気調和機の室内機について、詳細に説明する。
以下では説明の便宜上、各図面で共通する部材には同一の符号を付して重複する説明を省略する。前後上下左右の方向軸については、各図の記載によるものとする。
なお、以下では室内の壁部に取り付けられる壁掛け型の室内機を例に挙げて説明するが、本発明の実施形態は、例えば天井埋め込み型の室内機に適用することもできる。
また、以下では特に断り書きのない限り暖房運転時の空調制御を例に挙げて説明する。しかし、本発明の実施形態は、冷房、除湿、送風などの運転時に適用してもよい。
【００１３】
（実施形態の説明）
まず、図１を参照しながら、本発明の実施形態にかかる空気調和機の室内機、および室外機を含めた全体の外観を説明する。
図１（ａ）に示すように、本発明の実施形態にかかる空気調和機の室内機１Ａは、例えば化粧カバー２と、長手方向を有して形成された空気吹出口３付近の通風路１４に設けられた、左側の左右風向板７Ｌおよび右側の左右風向板７Ｒと、左側・中央部および右側にそれぞれ設けられた上下風向板６Ｌ，６Ｃ，６Ｒと、人物検知センサ２０とを含んでなる。
【００１４】
つまり、左右風向板は空気吹出口３の長手方向に対して左側および右側に２分割して配置され、空気吹出口３から吹き出す気流を左右方向に変更する。また、上下風向板は空気吹出口３の長手方向に対して左側、中央部および右側に３分割して配置され、空気吹出口３から吹き出す気流を上下方向に変更する。ここで、左側の左右風向板７Ｌおよび右側の左右風向板７Ｒ、ならびに、左側・中央部および右側の上下風向板６Ｌ，６Ｃ，６Ｒはそれぞれ、複数の風向板を含む風向板群を構成し、各群は相互に独立して動作可能にされている。
換言すると、上下風向板６Ｌ，６Ｃ，６Ｒは空気吹出口３の少なくとも左側部分、中央部分、および右側部分に設けられて左側部分、中央部分、および右側部分とが互いに独立した動きが可能にされている。また、左右風向板７Ｌ，７Ｒは、空気吹出口３の少なくとも左側部分および右側部分に設けられて左側部分と右側部分とが独立した動きが可能にされている。
なお、化粧カバー２の上面には、空気吸込口である例えば図示しない上部吸込口が形成されている。但し、空気吸込口の位置は特にこれには限定されない。
【００１５】
そして、本実施形態にかかる空気調和機の室内機１Ａは、図示しない圧縮機、室外熱交換器、室外送風機、四方弁、膨張弁を備えた室外機１５と、接続配管１６などを介して接続される。そして、当該接続配管１６を介して冷媒を循環させることで、室内を空調する。
【００１６】
次に、図１（ｂ）を参照しながら、本発明の実施形態にかかる空気調和機の断面構成を説明する。図１（ｂ）は例えば図１（ａ）のＸ−Ｘ矢視断面図である。
本実施形態にかかる空気調和機の室内機１Ａは、貫流ファン４（送風機）の運転によって上部吸込口から室内空気が吸い込まれ、エアフィルタ８で空気中の塵埃がフィルタリングされて熱交換器９へと送られる。熱交換器９は、例えば前面側に配置される熱交換器と、背面側に配置される熱交換器とを含んでなる。前面側に配置される熱交換器は屈曲部を有してなり、背面側に配置される熱交換器と略「Λ」状（逆Ｖ字状）に互いに立て掛けるようにして設置されている。熱交換器９で熱交換された空気はケーシング５を通り空気吹出口３から室内へと送風される。
【００１７】
ここで、空気吹出口３は化粧カバー２の前面下部の位置に形成されている。また空気吹出口３には、前記のように風向を上下に変えることのできる左側・中央部・右側の上下風向板６Ｌ，６Ｃ，６Ｒ、および風向を左右に変えることのできる右側・左側の左右風向板７Ｌ，７Ｒなどの風向板が備えられている（図１（ｂ）では中央部の上下風向板６Ｃのみ図示）。なお、図１（ｂ）中の符号１０は前面側熱交換器の下方に備えられたドレンパン（露受け皿）である。
【００１８】
さらには、左側・中央部・右側の上下風向板６Ｌ，６Ｃ，６Ｒはそれぞれ、前側上下風向板６ａと、後側上下風向板６ｂとを備えている。なお、左側・中央部・右側の上下風向板６Ｌ，６Ｃ，６Ｒはそれぞれ独立して動作するようにされている。そして本実施形態では、同じ上下風向板の群に属する前側上下風向板６ａおよび後側上下風向板６ｂは、群内で風向きが平行となるように（互いに平行に動作するように）されている。但し、これには特に限定されず、前側上下風向板６ａと後側上下風向板６ｂとは、互いに独立して動作するようにされていてもよい。
【００１９】
また、本実施形態では、右側および左側の左右風向板７Ｌ，７Ｒの群のうち、同じ左右風向板の群に属する各左右風向板は、群内で風向きが平行となるように（互いに平行に動作するように）されている。但し、これには特に限定されず、独立して動作するようにされていてもよい。
【００２０】
次に、図２（ａ）ないし図２（ｄ）を参照しながら、本発明の実施形態にかかる空気調和機の室内機１Ａから吹き出された気流の流れ場について説明する。なお、本発明の実施形態は左側・中央部・右側に３分割された上下風向板６Ｌ，６Ｃ，６Ｒと、右側・左側に２分割された左右風向板７Ｌ，７Ｒとを制御して、従来に比べて、より効率的で快適な空調制御を実現するものである。以下、例えば室内に適宜の壁Ｗ１〜Ｗ３が存在する場合に、壁Ｗ１〜Ｗ３に対して室内機１Ａ側に人物（人体）を人物検知センサ２０によって検知し、当該検知した人物の周囲を空調する場合を例に挙げて説明する。ここで、人物の検知方法については特に問わない。例えば、赤外線センサで検知してもよいし、画像認識によって検知してもよい。また、その他の手段によって検知してもよい。
【００２１】
図２（ａ）ないし図２（ｄ）は、本発明の実施形態にかかる空気調和機の室内機１Ａおよび室内を上方から見た図である。なお、図２（ａ）は比較例としての位置付けであり、図２（ｂ）〜図２（ｄ）は実施形態の位置付けである。
まず、図２（ａ）は室内機１Ａから１方向の気流が正対する壁Ｗ１に向かって流れる様子を説明する図を示している。
すべての上下風向板６Ｌ，６Ｃ，６Ｒおよび左右風向板７Ｌ，７Ｒを、検知した人物の方向に向く風向となるように制御した場合、図２（ａ）に示すように、すべての気流は検知した人物に向かって流れることになる。そして、正対する壁Ｗ１（または人物）に当たると左右に分岐する。
【００２２】
この比較例の状態で、例えば上下風向板は検知した人物に向く風向としたまま、左側の左右風向板７Ｌは人物の左側に向く風向となるように制御し、右側の左右風向板７Ｒは人物の右側に向く風向となるように制御する。
つまり、図２（ｂ）に示すように、室内機１Ａから３方向の気流が正対する壁Ｗ１に向かって流れるようにする。
この様に風向を制御すると、壁Ｗ１に当たった気流はそれぞれ左右に分岐することで、気流の中心に検知された人物を捕えることとなり、当該人物の周囲の温度を効率的に制御することができる。具体的には、効率的に温めたり、冷却したりすることができる。
以上を換言すると、実施形態にかかる室内機１Ａの制御装置３０（後記する図７を併せて参照）は、人物検知センサ２０によって検知された人物（人体）の位置の左側、および、当該人物（人体）の位置の右側の両方に左右風向板７Ｌ，７Ｒを向ける。
【００２３】
この状態で、図２（ｃ）に示すように、例えばさらに検知した人物の横方向（例えば右方向）に壁Ｗ２がある場合には、当該壁Ｗ２に向かって流れる気流が壁Ｗ２に到達後風路が壁Ｗ２によって遮られて検知した人物方向に折り返される。これによって、検知した人物の周囲の温度をより一層効率的に制御することができる。なお、図２（ｃ）は室内機から３方向の気流が正対する壁Ｗ１および右側の壁Ｗ２に向かって流れる様子を示している。
【００２４】
この効果は、人物の両側に壁Ｗ２，Ｗ３が存在した場合により一層効率的に制御することができるので、顕著であると言える。具体的には、図２（ｄ）に示すように、例えば検知した人物の横方向（例えば左右方向）に壁Ｗ２、Ｗ３がある場合には、当該壁Ｗ２，Ｗ３に向かって流れる気流が壁Ｗ２，Ｗ３に到達後風路が壁Ｗ２，Ｗ３によって遮られて検知した人物方向に折り返される。これによって、検知した人物の周囲の温度をより一層効率的に制御することができる。なお、図２（ｄ）は室内機から３方向の気流が正対する壁Ｗ１および左右側の壁Ｗ３，Ｗ２に向かって流れる様子を示している。
【００２５】
つまり、本実施形態の室内機１Ａは、吹き出す気流を分割し、狙った人物やモノの左右方向から挟み込むことによって、他の場所へ逃げる暖気を減らすことができる。これによって、狙った人物やモノをより一層効率的に暖めることができる。なお、これは冷気や調湿空気などでも同じである。
【００２６】
ところで、本実施形態の室内機１Ａは、左側および右側の左右風向板７Ｌ，７Ｒの配置のさせ方によって、空気吹出口３から３方向に分割して吹き出される気流のうち、中央部に流れる気流の風量を変更することができる。
【００２７】
まず、図３（ａ），図３（ｂ）を参照しながら、本実施形態にかかる空気調和機の室内機１Ａの整流板Ｓについて説明する。図３（ａ），図３（ｂ）は本発明の実施形態にかかる空気調和機の室内機１Ａの空気吹出口３付近の通風路１４の正面図である。
なお、以下では室内機１Ａから吹き出される気流を左右方向に分割する場合に、左側および右側の左右風向板７Ｌ，７Ｒをそれぞれ中央部とは反対側の相反する方向に気流を送る角度としたとき、中央部から流れ出る気流を中央部の気流と定義する。つまり、中央部の気流とは、風量がゼロに極めて近い場合を含む意味であるものとする。
【００２８】
ここでまず、図３（ｂ）を参照しながら説明する。図３（ｂ）に示すように、本実施形態にかかる室内機１Ａは、通風路１４の左右に１群づつ配置された左右風向板（左側・右側左右風向板７Ｌ，７Ｒ）の中央部に隙間が設けられている。これによって、別途中央部に左右風向板を設けなくても、中央部から気流を吹き出すことができる。
【００２９】
次に、図３（ａ）を参照しながら、図３（ｂ）とは別の例を説明する。図３（ａ）に示すように、本実施形態にかかる室内機１Ａは、通風路１４の左右に１群づつ配置された左右風向板（左側・右側左右風向板７Ｌ，７Ｒ）の中央部に、例えば通風路１４の空気の気流に沿う形状の整流板Ｓを備えている。このようにすると、中央部の気流をより効率的に制御することができてより好適である。
【００３０】
整流板Ｓを設ける理由は以下の通りである。一般に、気流は気流中にその流れ場に沿う形状の物体があるときに、コアンダ効果によってその物体の外面に沿う方向に流れ場の方向を変える性質がある。このため、通風路１４中に整流板Ｓを設置すれば、この整流板Ｓの外面を沿うように中央部の気流が吹き出されるようにできるからである。これによって、中央部の気流の風向および風量を図３（ｂ）の例よりも効率的に制御することが可能となる。
【００３１】
つまり、整流板Ｓによって気流が中央部の通風路１４に誘導される。そして、中央部から気流が吹き出されやすくなる。この際、空気吹出口３の長手方向に対する整流板Ｓの取り付け角を変更することによって、中央部の気流の吹出角、すなわち風向を変更することもできる。このようにして、中央部の気流の風向が調節されるとともに風量が増加される。このように、本実施形態の室内機１Ａは、左右風向板を増やすことを要せず、通風路１４の左右側はもとより中央部からも効率的に気流を送風することができる。
【００３２】
次に、図４（ａ），図４（ｂ）を参照しながら、本発明の実施形態、およびその他の例にかかる空気調和機の室内機１Ａの左右風向板の配置を説明する。
【００３３】
まず、図４（ｂ）の場合を説明する。図４（ｂ）に示す例の場合、左側・右側の左右風向板７Ｌ，７Ｒの群同士の設置間隔Ｔ３は、左側・右側にそれぞれ配置された左右風向板７Ｌ，７Ｒの群を構成する各風向板間隔Ｔ４よりも、狭くなっている（Ｔ３＜Ｔ４）。
つまり、左右風向板の右側部分の風向板群（右側の左右風向板６Ｒ）と、左側部分の風向板群（左側の左右風向板６Ｌ）との間の間隔Ｔ３は、風向板群内における風向板同士の間隔Ｔ４よりも小さくなるように設置されている。
【００３４】
このような場合でも、本発明の実施形態にかかる室内機１Ａは、中央部から気流を吹き出すことができる。
【００３５】
次に、図４（ａ）を参照しながら、図４（ｂ）とは別の例を説明する。図４（ａ）の例では、中央部の気流の風量を効率的に制御するための手段として、左側・右側の左右風向板７Ｌ，７Ｒの群同士の設置間隔Ｔ１を、左側・右側にそれぞれ配置された左右風向板７Ｌ，７Ｒの群を構成する各風向板間隔Ｔ２よりも、広く大きくなるように、設置している（Ｔ１≧Ｔ２）。
換言すると、左右風向板の右側部分の風向板群（右側の左右風向板６Ｒ）と、左側部分の風向板群（左側の左右風向板６Ｌ）との間の間隔Ｔ１は、風向板群内における風向板同士の間隔Ｔ２よりも大きくなるように設置している。
【００３６】
このようにすると、空気吹出口３の長手方向中央部において、左側および右側に配置された左右風向板７Ｌ，７Ｒのうち、最も内側に設けられた左右風向板の端部７Ｌｐ,７Ｒｐ（図４（ａ）参照）には気流が妨げられづらくなるので、図４（ｂ）の例よりも好適である。これによって、効率的に中央部の気流の風量を制御することができる。この方法によっても（図４（ｂ）の例を含め）、本実施形態の室内機１Ａは、別途左右風向板を増やすことを要せず、通風路１４の左右側はもとより中央部からも効率的に気流を送風することができる。
【００３７】
次に、図５（ａ），図５（ｂ）を参照しながら、本発明の実施形態、およびその他の例にかかる空気調和機の室内機１Ａの貫流ファン４の配置を説明する。
本実施形態の室内機１Ａは、中央部の気流を効率的に制御するための手段として、貫流ファン４の形状に対しても変更実施が可能である。
なお、室内機１Ａの内部には、室内機１Ａの長手方向に沿うようにして、貫流ファン４が設置されている。貫流ファン４は、いくつかの小ブロック４ａ〜４ｆの集合体で構成される、例えばクロスフローファンである。換言すると、貫流ファン（送風機）は、空気吹出口３の幅方向に並べられた小ブロックの集合体で構成される。
さらに貫流ファン４は、各小ブロック４ａ〜４ｆが例えば同心となるようにつなぎ目となる仕切板を介してつなげられている。各小ブロック４ａ〜４ｆには、例えば細長い複数の翼が周方向に並列配置されており、全体として効率よく送風できるようにされている。
【００３８】
まず、図５（ｂ）の場合を説明する。図５（ｂ）に示す例の場合、空気吹出口３の長手方向中央部においては貫流ファン４の各小ブロック４ａ〜４ｆのつなぎ目が配置されている。具体的には、貫流ファン４の小ブロック４ｃと、小ブロック４ｄとのつなぎ目が、空気吹出口３の長手方向中央部に配置されている。
【００３９】
このような場合でも、本発明の実施形態にかかる室内機１Ａは、中央部から気流を吹き出すことができる。
【００４０】
図５（ａ）は、本実施形態の室内機１Ａにかかる貫流ファン４の配置を説明する図である。貫流ファン４は、室内機１Ａの長手方向である左右方向に例えば複数の小ブロック４ａ〜４ｅを備えて構成される。
一般に、貫流ファン４の小ブロック４ａ〜４ｆの分割位置となるつなぎ目（接続部）では、つなぎ目でない場所と比べると気流が乱れることが知られている。
そこで、本実施形態では、空気吹出口３の中央部においては貫流ファン４の各小ブロック４ａ〜４ｅ同士のつなぎ目（接続部）を避けるように配置するようにしている。このようにすると、より一層効率的な気流の制御を行うことができるので、図５（ｂ）の例よりも好適である。
【００４１】
次に、図６(ａ)〜図６（ｄ）を適宜相互に参照しながら、上下風向板を左側・中央部・右側の上下風向板６Ｌ，６Ｃ，６Ｒに３分割した際に行う制御について説明する。
図６（ａ）は本発明の実施形態にかかる空気調和機の室内機１Ａの上下風向板６Ｌ，６Ｃ，６Ｒの向きを側面視で説明する図であり、図６（ｂ）はその比較例である。図６（ｃ）は本発明の実施形態にかかる空気調和機の室内機１Ａの左右風向板６Ｌ，６Ｃ，６Ｒの向きを正面視で説明する図であり、図６（ｄ）はその比較例である。つまり、図６(ａ)と図６（ｃ）、図６(ｂ)と図６（ｄ）がそれぞれ対応した図となっている。
上下風向板を例えば左側・中央部・右側の上下風向板６Ｌ，６Ｃ，６Ｒに３分割すると、それに応じて気流が上下方向に３分割して吹き出しされる。
【００４２】
ここで、図６(ａ)に示すように、室内機１Ａが設置されている部屋において、例えば室内機１Ａに略正対する壁Ｗ１と、人物とが検知される状況を考える。
このとき、図６（ｃ）に示すように、本実施形態では例えば左側および右側の上下風向板６Ｌ，６Ｒの風向を、検知した人物の腰付近に向く風向となるように制御する。それと併せて、中央部の上下風向板６Ｃの風向を、検知した人物の足元付近に向く風向となるように制御を行う。
【００４３】
このような制御を行うことによって、壁Ｗ１に当たった気流はそれぞれ、上下方向または左右方向に分かれて流れると予想される。具体的には、例えば検知した人物の腰付近に向く風向に制御された左側および右側の上下風向板６Ｌ，６Ｒから吹き出された気流は、検知された人物の腰付近を暖めたあと、壁Ｗ１に当たることによって、上下方向に分割される（図６(ａ)参照）。その際、壁Ｗ１に対する気流の入射角の関係で、上方よりも下方に多くの気流が分岐される。そして、床面Ｆｌｒに到達後は当該床面Ｆｌｒ上を這うようにして、再び検知された人物を暖める。
【００４４】
また、例えば検知した人物の足元付近に向く風向に制御された中央部の上下風向板６Ｃから吹き出された気流は、検知された人物の足元付近を暖めたあと、床面Ｆｌｒに当たることによって、左右方向に分岐される。その際、床面Ｆｌｒに対する気流の入射角の関係で、左方よりも右方に多くの気流が分岐される。そして、床面Ｆｌｒに到達後は、対向して当該床面Ｆｌｒ上を流れてくる左側および右側の上下風向板６Ｌ，６Ｒから吹き出された気流とぶつかり、再び検知された人物を暖める。
【００４５】
以上のようにして、足元付近を狙った気流は床面Ｆｌｒ方向すなわち左右方向と、検知された人物の方向すなわち上方向に分散し、腰付近を狙った気流は床面Ｆｌｒ方向すなわち左右方向と、検知された人物の方向すなわち上方向に分散する。それらの結果、検知された人物の特に足元付近の温度を効率的に制御し、暖めることができる。
以上を改めて換言すると、実施形態にかかる室内機１Ａは人物検知センサ２０によって人物を検知して、人物の左右側を含む周囲を空調するように気流を送風することができる。
【００４６】
なお、図６（ｂ）および図６（ｄ）はそれぞれ、図６（ａ）、図６（ｃ）の比較例である。図６（ｂ）に示すように、左側・中央部・右側のすべての上下風向板６Ｌ，６Ｃ，６Ｒの風向を、検知された人物の足元付近を暖めるように制御したとする。つまり、図６(ｄ)に示すように、左側・中央部・右側のすべての上下風向板６Ｌ，６Ｃ，６Ｒの風向を、同一の風向となるように制御する。
この場合、検知された人物の足元付近を暖めたあと、気流は床面Ｆｌｒおよび壁Ｗ１に沿って対流する。そして、その後は検知された人物を再び暖めることはなく、部屋中に拡散してしまう。ゆえに、効率的に空調を行うことは難しかった。
【００４７】
次に、図７を参照しながら、本発明の実施形態にかかる空気調和機の室内機１Ａの制御構成のブロック図を説明する。
本実施形態において、室内機１Ａの制御装置３０は駆動制御部３１と、記憶部であるＲＯＭ３２とを含んで構成される。
駆動制御部３１には、一または複数（１，２，・・・，Ｎ）の人物検知センサ２０からの検出信号を含む信号が入力される。そして、駆動制御部３１には左側および右側の左右風向板７Ｌ，７Ｒ、左側・中央部・右側の上下風向板６Ｌ，６Ｃ，６Ｒ、貫流ファン４が接続される。駆動制御部３１は、これらの駆動モータ（不図示）に対して駆動信号を出力し、駆動制御を行う。
なお、人物検知センサ２０の具体的なセンサ種別は特に限定されない。例えば、赤外線センサであってもよいし、カメラなどの撮像装置による画像認識によって検知してもよいし、その他の手段によって検知してもよい。
また、ＲＯＭ３２は、例えばRead Only Memoryであり、部屋の壁の配置（位置や方向、大きさ、形状など）や、床材に関する情報（床材の材質や位置、大きさ、形状など）を格納している。つまり、本実施形態の室内機１Ａは、予め室内の壁や床材の分布に関する情報を把握しているものとする。
【００４８】
次に、図８を参照しながら、実施形態にかかる空気調和機の室内機１Ａの、風向風量制御に関する制御のフローチャートを説明する。なお、図８に示す制御フローは、例えば前回実行時からの所定時間の経過を契機として、周期的に繰り返し何度も実行されるものとする。また、室内機１Ａは前記したように室内の人物を検知する方法（人物検知センサ２０）を持ち、本制御は例えば暖房運転時に実行され、検知した人物に対して動作するものとする。
ステップＳ１０において、室内機１Ａの制御装置３０の駆動制御部３１は、人物検知センサ２０からの入力信号に基づいて、部屋の中に人物がいるか否かを判定する。ここで、検知される人物の人数は一人の場合であってもよいし、複数（集団）の場合であってもよい。検知人数は特に問わない。
ステップＳ１０で人物検知にかかわる工程を設ける理由は、人物が室内に不在の場合にまで、本制御フローが実行されることがないように、誤作動を防ぐためである。ステップＳ１０でＮｏ、すなわち部屋の中に人物が検知されなかった場合は、本フローを終了する。
このようにすることで、無駄な消費電力を生じさせないようにすることができる。また、人物不在時において、室内空調に最適な公知の風向板制御を速やかに実行することができる。
【００４９】
ステップＳ１０でＹｅｓ、すなわち部屋の中に人物を検知した場合には、ステップＳ２０に進む。ステップＳ２０において、駆動制御部３１は、継続して人物検知センサ２０からの入力信号を取得して、所定時間当該人物が動いておらず、所定の場所にずっと留まった状態であるか否かを判定する。
ステップＳ２０でＮｏ、すなわち、所定時間が経過するあいだに人物が移動したと判定された場合は、本フローを終了する。
【００５０】
ステップＳ２０でＹｅｓ、すなわち所定時間当該人物が動いておらず、所定の場所にずっと留まった状態であると判定された場合には、ステップＳ３０に進む。
なお、ステップＳ２０において、検知した人物が所定時間その場所から動いていないか否かを確認する理由は、以下の通りである。つまり、検知した人物が例えば地点Ａに一時的に滞在し、すぐに地点Ｂへ移動するような場合に、本ステップ（ステップＳ２０）がないと、気流は地点Ａに向くように風向板制御が行われているにもかかわらず、人物はすでに地点Ｂに移動してしまっている場合が起こり得る。ゆえに、このような送風方向と人物の所在方向とのミスマッチの発生を回避するために、本ステップ（ステップＳ２０）が設けられている。
【００５１】
また、ステップＳ２０において、人物が動いているか不動であるかを判定する際の基準としては、例えば本実施形態では、対象となる人物が所定の距離以上を移動したことを検知することによって、当該人物は動いたものとして処理している。但し、この方法には特に限定されない。
このように、人物の動きを確認する工程（ステップＳ２０）を設けることで、人物のいない場所へ送風し続けるといったような、無駄な運転を行わせないようにすることができる。
【００５２】
ステップＳ３０において、駆動制御部３１は、風向板の制御を行う。なお、ステップＳ３０で行う風向板の制御の詳細に関しては、図９および図１０において詳細を後記する。そして、ステップＳ４０に進む。
【００５３】
ステップＳ４０において、駆動制御部３１は、貫流ファン４の回転速度を上昇させて空気吹出口３から吹き出される全体の風量を増加させ、本フローを終了する。
ここで、ステップＳ４０で駆動制御部３１が貫流ファン４の回転速度を上昇させる理由は以下の通りである。本実施形態では風向板を左右風向板は左側・右側の２分割、上下風向板は左側・中央部・右側に３分割し、送風する気流を分割している。ゆえに、貫流ファン４を回転速度不変のままで運転させると、各方向への気流の流量は減少することが考えられる。そこで、減少した気流を補うために所定回転速度分貫流ファン４の回転速度を増加させる。このようにすることによって、各方向に向けて、所定の風量または所望の風量を送風することができるようになる。ここで、貫流ファン４の回転速度を増加させる際の所定割合とは、一定割合であってもよい。
【００５４】
次に、図９は本発明の実施形態にかかる空気調和機の室内機１Ａの左側および右側の左右風向板７Ｌ，７Ｒの制御フローを説明する図である。
本実施形態の室内機１Ａの制御装置３０の駆動制御部３１は、図８のステップＳ３０において、図９に示すように左側および右側の左右風向板７Ｌ，７Ｒを制御する。
具体的には、まずステップＳ３１１において、駆動制御部３１は、右側の左右風向板７Ｒを、検知した人物の方向に向ける。なお、この際図２（ｂ）〜図２（ｄ）で示したように、駆動制御部３１は例えば右側の左右風向板７Ｒを検知した人物の右側へ向くように制御してもよい。
【００５５】
続いて、ステップＳ３１２において、駆動制御部３１は、左側の左右風向板７Ｌを、検知した人物の方向に向ける。なお、この際図２（ｂ）〜図２（ｄ）で示したように、駆動制御部３１は例えば左側の左右風向板７Ｌを検知した人物の左側へ向くように制御してもよい。
以上のようにして、左右風向板にかかわる本フローを終了する。
【００５６】
なお、ステップＳ３１１〜ステップＳ３１２の順番は、特にこれには限定されず、逆順であってもよい。または、ステップＳ３１1と併せてステップＳ３１２を実行する構成であってもよい。
【００５７】
次に、図１０および図１１(ａ)〜図１１（ｂ）を相互に参照しながら、本発明の実施形態にかかる空気調和機の室内機１Ａの左側・中央部・右側の上下風向板６Ｌ，６Ｃ，６Ｒの制御の様子を説明する。
ここで、図１０は、本発明の実施形態にかかる空気調和機の室内機１Ａの左側・中央部・右側の上下風向板６Ｌ，６Ｃ，６Ｒの制御フローを説明する図である。また、図１１（ａ）は本発明の実施形態にかかる空気調和機の室内機１Ａの左側・中央部・右側の上下風向板６Ｌ，６Ｃ，６Ｒの向きを上面視で説明する図であり、床材が全面「フローリング」の場合の例である。図１１（ｂ）は床材が「カーペット」および「フローリング」両方を備えてなる場合の例である。
本実施形態の室内機１Ａの制御装置３０の駆動制御部３１は、図８のステップＳ３０において、図１０に示すように左側・中央部・右側の上下風向板６Ｌ，６Ｃ，６Ｒを制御する。
具体的には、まずステップＳ３２１において、駆動制御部３１は、人物検知センサ２０（図７参照）からの入力信号に基づいて、図８のステップＳ１０において検知された人物は、複数であるか否かを判定する。ステップＳ３２１でＮｏ、すなわち検知された人物が一人のみであった場合は、ステップＳ３２２に進む。
【００５８】
ステップＳ３２２において、駆動制御部３１は、検知された人物の所在方向に、すべての上下風向板を向けるよう制御して（前記した図６(ａ)および図６（ｃ）を併せて参照）、本フローを終了する。ここですべての上下風向板とは、例えば左側・中央部・右側の上下風向板６Ｌ，６Ｃ，６Ｒである。
【００５９】
次に、ステップＳ３２１でＹｅｓ、すなわち図８のステップＳ１０において検知された人物が複数であった場合は、ステップＳ３２３に進む。
ステップＳ３２３において、駆動制御部３１は、複数の人物を異なる床材上でそれぞれ検知したか否かを判定する。
【００６０】
ステップＳ３２３でＮｏ、すなわち、複数の人物を同一の床材上で検知した場合には、ステップＳ３２４に進む。ステップＳ３２４において、駆動制御部３１は、全員に均等に風が行くように、人物所在方向に各上下風向板が向くよう制御して、本フローを終了する。なお、各上下風向板とは、例えば左側・中央部・右側の上下風向板６Ｌ，６Ｃ，６Ｒである。図１１（ａ）に、このときの様子を示す。
【００６１】
図１１（ａ）に示すように、室内機１Ａが、例えば全面「フローリング」の室内の壁Ｗ２に近い右方に人物Ｈ１、室内の壁Ｗ３に近い左方に人物Ｈ２をそれぞれ１名ずつ（合計２名）検知した場合を考える。このとき駆動制御部３１は、例えば人物Ｈ１の所在方向に近い右側の上下風向板６Ｒの向きを、人物Ｈ１に風が行く向きに制御する。また、例えば人物Ｈ２の所在方向に近い左側の上下風向板６Ｌの向きを、人物Ｈ２に風が行く向きに制御する。そして、駆動制御部３１は、中央部の上下風向板６Ｃを、全員（人物Ｈ１およびＨ２）に均等に風が行くように、人物所在方向に向けて例えばスイング運転させる。
【００６２】
ステップＳ３２３でＹｅｓ、すなわち、複数の人物を異なる床材上で検知した場合には、ステップＳ３２５に進む。ステップＳ３２５において、駆動制御部３１は、左側または右側の上下風向板６Ｌ，６Ｒのうち、熱伝達速度が速い床材上にいる人物に近い側の上下風向板と、中央部の上下風向板とを、当該人物の方向に向ける。
【００６３】
続いて、ステップＳ３２６に進み、駆動制御部３１は、残りの上下風向板を熱伝達速度が遅い床材上にいる人物の方向に向けて、本フローを終了する。このときの様子を、図１１(ｂ)に示す。
【００６４】
本実施形態では、例えば室内において異なる場所に所在する人物に対して、足元の床材が異なっている場合に、上下風向板によって気流を細かく制御することができる。
【００６５】
ここで一般に、人物が感じる例えば「暖かい」・「寒い」などの体感温度は、床材の材質によって異なることが知られている。これは、床材の材質によって熱伝達速度が異なることや、床面との接触面積が異なることによっている。本実施形態では、冷たく感じる床材として「フローリング」を、冷たく感じにくい床材として「カーペット」を例に挙げて説明を続ける。
【００６６】
一般に「フローリング」は、熱伝達速度が速いため、足裏から熱が床面へ移動しやすい。また足裏と床材との接触面積も大きくなるため、「フローリング」上に存在する人物の、冷たく感じない床材温度は高くなる(Ａ℃とする)。
【００６７】
また、一般に「カーペット」は熱伝達速度が遅いため、足裏から熱が床面へ移動しづらい。また足裏と床材との接触面積は「フローリング」の場合と比べて小さいため、その上に存在する人物が冷たく感じない床材温度は、「フローリング」に比べて低くなっている(Ｂ℃とする)。つまり、Ａ℃＞Ｂ℃である。
【００６８】
このように、床材の材質によって、その上に存在する人物の冷たく感じない温度は変化する。このため、本実施形態では、上下風向板および左右風向板を制御することによって、床材の材質の違いに対応してより効率的に空調を行うことを考える。
【００６９】
例えば、人物の所在地点の床面の材質がそれぞれ「フローリング」、「カーペット」であったとき、前記したように、「フローリング」の方が人物が冷たいと感じない温度は高い。そこで、「フローリング」上に所在する人物を優先的に暖めることが望ましい。
【００７０】
ゆえに本実施形態では、分割した上下風向板を用いて、例えば「フローリング」上の人物Ｈ１が部屋の右壁Ｗ２付近に存在し、「カーペット」上の人物Ｈ２が部屋の左壁Ｗ３付近に存在するときを考える。この場合、３分割された上下風向板のうち、右側および中央部の上下風向板６Ｒ，６Ｃを「フローリング」上に存在する人物Ｈ１に向けた風向とし、左側の上下風向板６Ｌを「カーペット」の上に存在する人物Ｈ２に向けた風向とする。
【００７１】
つまり、例えば図１１（ｂ）に示す状況で、室内機１Ａが壁Ｗ２に近い右方の「フローリング」上に人物Ｈ１を、室内の壁Ｗ３に近い左方の「カーペット」上に人物Ｈ２をそれぞれ１名ずつ（合計２名）検知したとする。このとき駆動制御部３１は、「左側または右側の上下風向板６Ｌ，６Ｒのうち熱伝達速度が速い床材上の人物、すなわち「フローリング」上の人物Ｈ１、に近い側の上下風向板」つまり右側の上下風向板６Ｒの向きを、当該人物Ｈ１に風が行く向きに制御する。また、これと併せて、中央部の上下風向板６Ｃを、人物Ｈ１に風が行く向きに制御する（ステップＳ３２５）。
【００７２】
そして、残りの上下風向板つまり左側の上下風向板６Ｌの向きを、熱伝達速度が遅い床材上にいる人物つまり「カーペット」上にいる人物Ｈ２に風が行く向きに制御する（ステップＳ３２６）。
【００７３】
以上のように左側・中央部・右側の上下風向板６Ｌ，６Ｃ，６Ｒの向きを制御することによって、本実施形態にかかる室内機１Ａは、「カーペット」の上の人物Ｈ２を無駄に暖め過ぎることなく、「フローリング」の上の人物Ｈ１を効率的に暖めることができる。
【００７４】
つまり、本実施形態の室内機１Ａは、局所的に空調を行う場合であっても気流の拡散を抑制して、効率よく空調することができるという効果を奏する。
【００７５】
（作用・効果）
本発明の実施形態にかかる空気調和機の室内機１Ａの作用・効果をまとめると、以下のようになる。
近年の空気調和機は、室内全体の空調制御はもとより、各ユーザの細かい要求に応えることのできる空調制御を行うことが望まれる。なぜならば、各個人がおかれた環境の違い、例えば床材の材質などの違いによって、各々快適性に関する感度が異なるためである。
【００７６】
各ユーザの細かい要求に応えることのできる空調制御の一例として、例えば、細かい風向制御を行えることが挙げられる。このため、特に室内機１Ａの風向性能を向上することが望まれる。例えば冬季において、ユーザからは腰や足を重点的に空調したいという要望がある。このように腰や足などを局所的に空調を行う場合、気流の拡散を抑制し効率よく空調することが望ましい。 
【００７７】
そこで本発明の実施形態にかかる空気調和機の室内機１Ａは、それぞれ回動開度自在に調整できる上下風向板が、左側・中央部・右側の上下風向板６Ｌ，６Ｃ，６Ｒにそれぞれ前側・後側で合計６枚設けられた室内機１Ａとする。そして、図６（ａ）に示すように、室内機１Ａの空気吹出口３から吹き出される空気を、側面視で上下方向に異なる高さとなるようにして送風する。
【００７８】
これによって、室内の壁（例えば壁Ｗ１〜Ｗ３）を適宜利用するなどして人物周辺で当該空気を床面方向または上下方向に挟み込みまたは抑え込むようにして気流を収束させることができる。つまり、気流の拡散を抑えることができるとともに、効率よく人物を暖める空調を行うことができる。
【００７９】
また、本発明の実施形態にかかる空気調和機の室内機１Ａによれば、床材の材質の違いを考慮して、３分割された上下風向板を制御することができる。ゆえに、例えば図６（ｂ）、図６（ｄ）で前記した比較例よりも、効率的でユーザに対してきめ細やかな空調を行うことができる。
【００８０】
上記した実施形態は、本発明を分かりやすくするために詳細に説明したものであり、必ずしも、説明した全ての構成を備えるものに限定されるものではない。
【００８１】
また、ある実施形態の構成の一部を他の実施形態の構成に置き換えることが可能であり、また、ある実施形態の構成に、他の実施形態の構成の一部もしくは全てを加えることも可能である。
また、実施形態の構成の一部について、他の構成の追加・削除・置換をすることが可能である。
【００８２】
具体的には、例えば実施形態では、左右風向板は左側および右側に２分割された左右風向板７Ｌ，７Ｒであるものとして説明した（図３（ａ）〜図５（ｂ）などを参照）。しかし、これには特に限定されない。
【００８３】
図１２（ａ）は、実施形態の変形例にかかる空気調和機の室内機１Ｂの左右風向板の配置を説明する図であり、例えば実施形態の室内機１Ａでいう、図４（ａ）に対応する図である。なお、図１２（ｂ）は実施形態のその他の例であって、例えば図３（ｂ）における左側および右側の左右風向板７Ｌ，７Ｒの風向板群の集合位置を分かりやすく表示した図である。以下、実施形態と同様の構成については同一の符号を付して、詳しい説明および重複する説明を省略する。
【００８４】
室内機１Ｂの左右風向板は、図１２（ａ）に示すように、室内機１Ａの左右風向板と比較して、左側および右側の左右風向板７Ｌ，７Ｒの間に、中央部の左右風向板７Ｃが設けられている点が異なっている。
つまり、図４（ａ）では、左側および右側の左右風向板７Ｌ，７Ｒは間隔Ｔ１だけ離して設置され、左右風向板が２分割されていた。これに対し、本変形例にかかる室内機１Ｂの左右風向板は、左側および右側の左右風向板７Ｌ，７Ｒに加え、中央部の左右風向板７Ｃを有し、左右風向板が３分割されている点が異なっている。それ以外の点は、実施形態の室内機１Ａと同様である。
つまり、室内機１Ｂの左右風向板は、空気吹出口３の左側部分（左側の左右風向板７Ｌ）、中央部分（中央部の左右風向板７Ｃ）、および右側部分（右側の左右風向板７Ｒ）に設けられている。そして、左側部分、中央部分、および右側部分は互いに独立した動きが可能にされている。
【００８５】
このような室内機１Ｂとしても、実施形態の室内機１Ａと同様の効果を奏することができる。むしろ、図１２（ｂ）と対比すれば分かるように、左右風向板が２分割されている場合と比較して、室内機１Ｂとすれば、中央部の風量をより一層増加させることができる。また、通風路１４の中央部に独立した左右風向板７Ｃを備えることで、気流の風向をより精密に制御することができる。つまり、実施形態の室内機１Ａよりも風向・風量制御性能を向上させ、効率よく空調することができるので、より好適であると言える。
【００８６】
また、実施形態では室内の壁Ｗ１〜Ｗ３の配置や床材の材質など、室内機１Ａが設置されている空間の環境情報が、予め制御装置３０の記憶部であるＲＯＭ３２に格納されているものとして説明した（図７参照）。しかし、これには特に限定されない。
例えば、室内機１Ａは室内の壁Ｗ１〜Ｗ３の配置や床材の材質などの環境情報を計測する不図示のセンサを備え、センシングによってこれらの環境情報を取得する構成であってもよい。
【００８７】
また、実施形態では室内の床材の材質が「フローリング」と「カーペット」の場合（図１１（ｂ）参照）で説明したが、この組み合わせには特に限定されない。また、床材は３種類以上の異なる材質を含んで構成されていてもよい。さらには、室内の壁Ｗ１〜Ｗ３は人物Ｈ１，Ｈ２から充分遠方に存在する場合であってもよい。
【符号の説明】
【００８８】
１Ａ，１Ｂ  室内機
２      化粧カバー
３      空気吹出口（吹出口）
４      貫流ファン（送風機）
４ａ，４ｂ，４ｃ，４ｄ，４ｆ  小ブロック
５      ケーシング
６ａ    前側上下風向板（上下風向板）
６ｂ    後側上下風向板（上下風向板）
６Ｌ，６Ｃ，６Ｒ  左側・中央部・右側の上下風向板（上下風向板）
７Ｌ，７Ｃ，７Ｒ  左側・中央部・右側の左右風向板（左右風向板）
８      エアフィルタ
９      熱交換器
１０    ドレンパン
１５    室外機
１６    接続配管
２０    人物検知センサ（センサ）
３０    制御装置
Ｗ１，Ｗ２，Ｗ３  壁
Ｈ１，Ｈ２  人物（人体）
Ｓ      整流板
Ｔ１，Ｔ２，Ｔ３，Ｔ４  間隔
１４    空気吹出口
Ｆｌｒ  床面
【図１】
2017044434.tif 000003
【図２】
2017044434.tif 000004
【図３】
2017044434.tif 000005
【図４】
2017044434.tif 000006
【図５】
2017044434.tif 000007
【図６】
2017044434.tif 000008
【図７】
2017044434.tif 000009
【図８】
2017044434.tif 000010
【図９】
2017044434.tif 000011
【図１０】
2017044434.tif 000012
【図１１】
2017044434.tif 000013
【図１２】
2017044434.tif 000014